(57)【要約】【課題】着脱容易で、種々体型の脚（膝）、腕（肘）などの寸法、形状に適合させ易く、且つ、患部の定姿勢（例えば、靱帯術後の膝関節の伸張姿勢）を十分に保持できるところの医療用姿勢矯正用具を提供すること。【解決手段】柔軟な素材でシート状に構成された本体部材と、該本体部材の内面に設けた、少なくとも１本の補強部材とから成り、前記本体部材の外面要部と、該本体部材の内面要部に第１及び第２の面ファスナーが設けられ患部に巻回されたときに前記両面ファスナーが互いに係合して巻回姿勢を固定できる。【選択図】図１
2014018633.tif 000002
【特許請求の範囲】
【請求項１】
身体の患部に巻回して姿勢固定する医療用姿勢矯正用具であって、
展開状態で略台形を呈するように柔軟な素材でシート状に構成された本体部材（２０）と、該本体部材（２０）の内面に、その長手方向に沿って設けられた少なくとも１本の補強部材（２１）とから成り、
前記本体部材（２０）の外面要部と、該本体部材（２０）の内面要部に第１及び第２の面ファスナー（２０ａ，２０ｂ）が設けられ、前記本体部材（２０）の長手方向を軸として患部に巻回されたときに前記両面ファスナー（２０ａ，２０ｂ）が互いに係合して巻回姿勢を固定できるように構成されている、ことを特徴とする医療用姿勢矯正用具。
【請求項２】
前記本体部材（２０）が、展開した状態において、上辺側（２０ｄ）が下辺側（２０ｅ）よりも広幅の略台形状に構成され、前記補強部材（２１）は、略台形の前記内側部材（２０Ｂ）の中央部において長手方向に伸びるように設けられた第１の補強部材（２１Ａ）と、前記内側部材（２０Ｂ）の左右両側部において長手方向に伸びるように設けられた前記第１の補強部材よりも幅狭の第２及び第３の補強部材（２１Ｂ，２１Ｃ）とで構成され、これら第２及び第３の補強部材（２１Ｂ，２１Ｃ）が、略台形状の前記本体部材（２０）の斜辺に平行に斜めに配置されている、ことを特徴とする請求項１に記載の医療用姿勢矯正用具。
【請求項３】
前記本体部材（２０）が、少なくとも柔軟な素材でシート状に構成された外側部材（２０Ａ）と編成又は成形にメッシュ（２０ｃ）で構成された内側部材（２０Ｂ）の２層構造で構成され、且つ、前記本体部材（２０）の外側に固定用ベルト（２４）を用いて巻回装着される外装用アイシング装具（２５Ａ）を備え、該外装用アイシング装具（２５Ａ）は、使用患部に略相当する円弧を呈する凍結タイプの蓄冷剤を収容した蓄冷部材（１）で構成され、該蓄冷部材（１）の一部には、前記固定用ベルト（２４）の一部が一体的に設けられている、
ことを特徴とする請求項１又は請求項２に記載の医療用姿勢矯正用具。
【請求項４】
前記本体部材（２０）が、少なくとも柔軟な素材でシート状に構成された外側部材（２０Ａ）と編成又は成形のメッシュ（２０ｃ）で構成された内側部材（２０Ｂ）の２層構造で構成され、且つ、前記本体部材（２０）の内側に第３の面ファスナー（２６）を設け、該第３の面ファスナー（２６）に係止される第４の面ファスナー（２７）を設けた内装用アイシング装具（２５Ｂ）を備え、該内装用アイシング装具（２５Ｂ）は、不凍結タイプの蓄冷剤を収容した扁平状の蓄冷部材（１）と、前記蓄冷部材（１）よりも大きな基材（２）と、前記基材（２）に蓄冷部材（１）を位置させて、前記蓄冷部材（１）を覆い、面ファスナー（２Ａ，３Ａ）によって前記基材（２）に前記蓄冷部材（１）を保持させるカバー（３）とから構成されている、ことを特徴とする請求項１又は請求項２に記載の医療用姿勢矯正用具。
【請求項５】
前記内装用アイシング装具（２５Ｂ）の少なくとも前記基材（２）の要部には、装着する身体部位の凹凸に適合し易くなるように、前記基材（２）の屈曲を容易にする伸縮機構（４）が配置されている、ことを特徴とする請求項４に記載の医療用姿勢矯正用具。
【請求項６】
前記伸縮機構（４）が、複数のプリーツ（４Ａ）、ステッチ（４Ｂ）又はスリット（４Ｃ）の何れか一つで構成されている、ことを特徴とする請求項５に記載の医療用姿勢矯正用具。
【請求項７】
前記補強部材（２１）は、その側面に補強部材側面ファスナー（２１Ｄ）を備え、前記本体部材（２０）の外面に設けた本体部材側面ファスナー（２１Ｅ）対して着脱自在に構成されている、ことを特徴とする請求項１乃至請求項６の何れか一項に記載の医療用姿勢矯正用具。
【発明の詳細な説明】
【技術分野】
【０００１】  本発明は、腕や下肢などに装着して用いる医療用姿勢矯正用具に関し、特に、外科術後の患部姿勢の矯正を行うための身体装着用の医療用姿勢矯正用具に関する。
【背景技術】
【０００２】  例えば、膝の靱帯断裂などの療養治療、手術治療において、膝関節を定姿勢に固定することが必要となる。また、腕、下肢などの骨折治療においても、患部の定姿勢保持が求められる。
こうした目的の用具として原始的なものは、石膏で構成されるギブスであるが、重量、通気性（蒸れ）、衛生面の問題があると共に膝の靱帯断裂など、頻繁に術後検査などを必要とするケースでは、ギブスの使用は不都合である。【０００３】  また、骨折などの治療と異なり、靱帯断裂などの手術を伴う患部は、術後の発熱、腫れを伴うので、冷やしてやる必要があるが、上述したギブス（石膏）などでは、このような処置を採ることは出来難い。
こうしたギブスに代わり、簡便に装着、取り外しが容易な構造の装具が開発されてきている。【０００４】  上述した身体装着用の医療用姿勢矯正用具としては、例えば、次の文献を挙げることができる。
【特許文献１】特開２００７−９８０９１
【特許文献２】特開２００５−２３０５１０
【特許文献３】実開平０５−２９５２８  また、身体患部を冷やすための装具としては、例えば、次の文献を挙げることができる。
【特許文献４】特開２００６−１２２５４５
【特許文献５】特開２００２−２０９９２８
【発明の開示】
【発明が解決しようとする課題】
【０００５】  上記特許文献１乃至３に開示されているように、従来の石膏で構成されギブスとは異なり、容易に着脱可能に構成されたものが提案されているが、その本体は、合成樹脂など、実質上剛体で構成されており、且つ、形状も樹脂成形された所定寸法の円筒状体であって、腕、膝などの四肢に装着する場合、患部の凹凸などの実際形状に容易にフィットし難い構造のものであり、また、術後においては，術部の浮腫や腫脹によって患部の周囲長が経時的に変化するため，容易に適合させ難い。こうした条件に適合させるには、種々の体型の患者に適合させる複数サイズのものを準備しておく必要があると共にマット、タオル等の介装材も必要とする。【０００６】  また、装具本体が円筒状の合成樹脂製であり、また、患部にフィットさせるためのマット等を介在させる必要のある構造であるため、氷嚢や蓄冷剤を用いて効率良く装具の外部から患部を冷却することが難しいという問題もある。【０００７】  本発明は、かかる問題点に鑑み、着脱容易で、種々体型の脚（膝）、腕（肘）などの寸法、形状に適合させ易く、且つ、患部の定姿勢（例えば、靱帯術後の膝関節の伸張姿勢）を十分に保持できるところの医療用姿勢矯正用具を提供することを目的とする。
【課題を解決するための手段】
【０００８】  本発明にかかる医療用姿勢矯正用具は、上記目的を達成するために、身体の患部に巻回して姿勢固定する医療用姿勢矯正用具であって、展開状態で略台形を呈するように柔軟な素材でシート状に構成された本体部材（２０）と、該本体部材（２０）の内面に、その長手方向に沿って設けられた少なくとも１本の補強部材（２１）とから成り、前記本体部材（２０）の外面要部と、該本体部材（２０）の内面要部に第１及び第２の面ファスナー（２０ａ，２０ｂ）が設けられ、前記本体部材（２０）の長手方向を軸として患部に巻回されたときに前記両面ファスナー（２０ａ，２０ｂ）が互いに係合して巻回姿勢を固定できるように構成されている、という手段を講じたものである。【０００９】  本発明において、本体部材の素材は、織布、不織布、編成物、合成樹脂シートなどが含まれ、その素材も合成繊維、天然繊維及び機能性繊維と呼ばれるものを含む。この本体部材は、実施例では、台形状とされているが、長方形であっても実施可能な場合がある。
また、補強部材は、実施例では薄い、細い板状のものを使用しているが、丸棒状体でもよく、その素材も、アルミ合金を用いているが、その他の金属、硬質合成樹脂、グラスファイバーなどを用いてよい。
【発明の効果】
【００１０】  本発明によれば、柔軟な素材でシート状に構成された本体部材と、これに設けた少なくとも１本の補強部材とでもって患部に巻回可能で係止固定できるように構成したことで、着脱容易で、種々体型の周径の異なる脚（膝）、腕（肘）などの寸法、形状に適合させ易くなり、且つ、患部の定姿勢（例えば、伸張姿勢）を十分に保持できるという利点がある。【００１１】  そして、従来のような剛体の円筒状体ではなく、シート状に構成された本体部材を用いるために、蓄冷部材を、本体部材に対して容易に外部から、或いは内部に保持乃至固定させて、患部の吸熱を効果的に行うことができる利点があると共に蓄冷部材が前記本体部材とは別体に構成されているので、蓄冷部材だけを容易に蓄冷させることができる利点もある。
本発明にかかるその他の利点は、以下の実施例の説明から明らかとなろう。
【発明の好適実施の形態】
【００１２】  本発明において、前記本体部材（２０）が、展開した状態において、上辺側（２０ｄ）が下辺側（２０ｅ）よりも広幅の略台形状に構成され、前記補強部材（２１）は、略台形の前記内側部材（２０Ｂ）の中央部において長手方向に伸びるように設けられた第１の補強部材（２１Ａ）と、前記内側部材（２０Ｂ）の左右両側部において長手方向に伸びるように設けられた前記第１の補強部材よりも幅狭の第２及び第３の補強部材（２１Ｂ，２１Ｃ）とで構成され、これら第２及び第３の補強部材（２１Ａ，２１Ｂ，２１Ｃ）が、略台形状の前記本体部材（２０）の斜辺に平行に斜めに配置されていることが好ましい。
【００１３】  このように、本体部材が略台形状とされていることで、下肢、腕などの太い部位と細い部位とに亘って巻回される場合に、その台形の広幅部を太い部位に当て、狭幅部を細い部位に当てて巻くことで、本体部材の上下の箇所に皺がよらないフィットした状態で巻回できる。
この際、３本の前記補強部材も、３本が台形の本体部材に相互に平行に設けた場合と比べ、巻回するだけで自動的に太い部位から細い部位へと沿わせてフィットさせることができる。
同時に、所定間隔を空けた３本の補強部材は、本体部材を患部（膝など）に巻回したときに、自動的に巻回の周方向に間隔を空けて位置されることになるので、膝の伸張状態を安定的に保持し易い。
【００１４】  更に、前記本体部材（２０）が、少なくとも柔軟な素材でシート状に構成された外側部材（２０Ａ）と編成又は成形によってメッシュ（２０ｃ）で構成された内側部材（２０Ｂ）の２層構造で構成され、且つ、前記本体部材（２０）の外側に固定用ベルト（２４）を用いて巻回装着される外装用アイシング装具（２５Ａ）を備え、該外装用アイシング装具（２５Ａ）は、使用患部に略相当する円弧を呈する凍結タイプの蓄冷剤を収容した蓄冷部材（１）で構成され、該蓄冷部材（１）の一部には、前記固定用ベルト（２４）の一部が一体的に設けられていることが好ましい。
上記のメッシュの編成は、メッシュを繊維の糸で構成する場合、成形は、軟質の合成樹脂で成形する場合を意味する。
【００１５】  このように、本体部材を２層構造とし、内側にメッシュを設けることで、外側から外装用アイシング装具で冷却したときに、内部の通気性を確保し易くなって、結露の発生を抑制できると共に１層に比べて直接冷却による冷えすぎを抑え、好適な冷却とすることができる。
そして、前記外装用アイシング装具の蓄冷剤が硬化タイプではあるが、予め装着患部に略合わせた円弧形状に硬化されているので、患部に装着した本体部材に外部から装着しても、フィットし易く、冷却効果を良好に確保し易い。
尚、固定用ベルトは、リング或いはバックルタイプ等の長さ調節、固定機構を備えたものであるが、面ファスナーを用いたタイプのものでもよい。
【００１６】  また、前記本体部材（２０）が、少なくとも柔軟な素材でシート状に構成された外側部材（２０Ａ）と編成又は成形のメッシュ（２０ｃ）で構成された内側部材（２０Ｂ）の２層構造で構成され、且つ、前記本体部材（２０）の内側に第３の面ファスナー（２６）を設け、該第３の面ファスナー（２６）に係止される第４の面ファスナー（２７）を設けた内装用アイシング装具（２５Ｂ）を備え、該内装用アイシング装具（２５Ｂ）は、不凍結タイプの蓄冷剤を収容した扁平状の蓄冷部材（１）と、前記蓄冷部材（１）よりも大きな基材（２）と、前記基材（２）に蓄冷部材（１）を位置させて、前記蓄冷部材（１）を覆い、面ファスナー（２Ａ，３Ａ）によって前記基材（２）に前記蓄冷部材（１）を保持させるカバー（３）とから構成されていることが好ましい。
【００１７】  このように、本体部材を２層構造とし、内側にメッシュを設けることで、外側から内装用アイシング装具で冷却したときに、内部の通気性を確保し易くなって、結露の発生を抑制できると共に内装用アイシング装具も２層構造としたことで直接冷却による冷えすぎを抑え、好適な冷却とすることができる。
更に、前記蓄冷部材を不凍結タイプの蓄冷剤を収容した扁平状のものとしたことで、前記本体部材の内側に配置することも可能であり、また、患部の凹凸にも適合し易いものである。また、面ファスナーによって蓄冷部材を容易に着脱して、所要の蓄冷を行うことができる。
【００１８】  そして、前記内装用アイシング装具（２５Ｂ）の少なくとも前記基材（２）の要部には、装着する身体部位の凹凸に適合し易くなるように、前記基材（２）の屈曲を容易にする伸縮機構（４）が配置されていることが好ましい。
【００１９】  このように、不凍結タイプの蓄冷剤を収容した扁平状のものとしたことと、蓄冷部材にも伸縮機構が備えられていることとによって、シート状に構成された本体部材の患部凹凸に対する適合性が助長され、膝、その他の凹凸患部に対するフィット性が確保され易いのである。
【００２０】  また、前記伸縮機構（４）が、複数のプリーツ（４Ａ）、ステッチ（４Ｂ）又はスリット（４Ｃ）の何れか一つで構成されていることが好ましい。
このように、伸縮機構が簡単な構造で得られることで、大幅なコストアップとならずに、上述した凹凸ある身体患部に対する適合性を得ることができる。
【００２１】  そして、前記補強部材（２１）は、その側面に補強部材側面ファスナー（２１Ｄ）を備え、前記本体部材（２０）の外面に設けた本体部材側面ファスナー（２１Ｅ）対して着脱自在に構成されていることが好ましい。
これにより、手術直後の安静姿勢が求められるときには前記補強部材でもって伸張姿勢を維持させ、回復してきた場合には、補強部材を簡単に取り外して、本体部材だけで患部を保護し、以って、徐々にリハビリを行うようにすることができる。
【図面の簡単な説明】
【００２２】
【図１】本発明にかかる外装用アイシング装具を外側にして医療用姿勢矯正用具を膝に装着した使用例を示す斜視図。
【図２】本発明にかかる医療用姿勢矯正用具の本体部材を展開した外側の正面図。
【図３】本発明にかかる医療用姿勢矯正用具の本体部材を展開した内側の正面図。
【図４】本発明にかかる外装用アイシング装具を展開した外側の斜視図。
【図５】本発明にかかる外装用アイシング装具の蓄冷部材を凍結形成するために用いるケーシングの斜視図。
【図６】本発明にかかる内装用アイシング装具を内側にして医療用姿勢矯正用具を膝に装着した使用例を示す斜視図。
【図７】本発明にかかる内装用アイシング装具の蓄冷部材の分解図。
【図８】本発明にかかる内装用アイシング装具の蓄冷部材の正面図。
【図９】本発明にかかる内装用アイシング装具の本体部材に対する装着例を示す正面図。
【図１０】本発明にかかる内装用アイシング装具を本体部材から外した分解正面図。
【図１１】本発明にかかる内装用アイシング装具の伸縮機構の要部を示す一部切り欠き斜視図。
【図１２】本発明にかかる内装用アイシング装具の別の形態の伸縮機構の要部を示す斜視図。
【図１３】本発明にかかる内装用アイシング装具の更に別の形態の伸縮機構の要部を示す斜視図。
【図１４】本発明にかかる医療用姿勢矯正用具の本体部材の更に別の形態を示す展開正面斜視図。
【図１５】本発明にかかる医療用姿勢矯正用具の本体部材の更に別の形態の装着状態を示す斜視図。
【実施例】
【００２３】  本発明にかかる医療用姿勢矯正用具の好適実施例について、図面を参照して以下詳述する。ここでは、便宜上、膝靱帯損傷などの術後に、膝の伸張を確保しなければならいタイプの用具として開発されたものについて説明する。【００２４】  図１乃至図３に示すように、身体の患部、ここに示すのは、膝に巻回して膝の伸張状態の姿勢を固定する医療用姿勢矯正用具であって、展開状態で略台形を呈するように柔軟な素材でシート状に構成された本体部材２０と、該本体部材２０の外面に、その長手方向に沿って相互に所定の間隔を隔てて設けられた３本の補強部材２１とから成る。これらの補強部材２１は、ここでは、軽合金製であるが、硬質合成樹脂（グラスファイバーを含む）を代用してよい。【００２５】  前記本体部材２０は、展開した状態において、上辺側２０ｄが下辺側２０ｅよりも広幅の略台形状に構成され、前記補強部材２１は、略台形の前記内側部材２０Ｂの中央部において長手方向に伸びるように設けられた第１の補強部材２１Ａと、前記内側部材２０Ｂの左右両側部において長手方向に伸びるように設けられた前記第１の補強部材よりも幅狭の第２及び第３の補強部材２１Ｂ，２１Ｃとで構成され、これら第２及び第３の補強部材２１Ｂ，２１Ｃが、略台形状の前記本体部材２０の斜辺に平行に斜めに配置されている。【００２６】  これらの補強部材２１（２１Ａ，２１Ｂ，２１Ｃ）は、それらの側面に補強部材側面ファスナー２１Ｄを備え、前記本体部材２０の外面に設けた本体部材側面ファスナー２１Ｅに対して着脱自在に構成されている。この際、前記本体部材２０の外面が面ファスナーとの係合が可能な素材で構成されている場合には、前記本体部材側面ファスナー２１Ｅは省略できる。これにより、手術直後の安静姿勢が求められるときには前記補強部材２１でもって伸張姿勢を維持させ、回復してきた場合には、補強部材２１を簡単に取り外して、本体部材２０だけで患部を可動自在に保護し、以って、リハビリに対応することができる。【００２７】  前記本体部材２０は、ここでは、長さが５００ｍｍ（４００〜６００ｍｍでよい）、上辺側２０ｄの幅（周径）が、大小２タイプあるため、１４０〜１９０（４００〜６００）ｍｍ、下辺側２０ｅの幅（周径）が、４５〜１３０（１８０〜４００）ｍｍとされており、且つ、前記本体部材２０が、柔軟な素材でシート状に構成された外側部材２０Ａと編成メッシュ２０ｃで構成された内側部材２０Ｂの２層構造で構成されている。これらの本体部材２０とメッシュ２０ｃは、その周部において逢着されている。【００２８】  前記外側部材２０Ａは、ここでは、ポリエステル繊維の素材を用いて構成されているが、天然繊維素材、合成繊維素材を用いて構成してもよく、織布でなく不織布であってもよく、また、合成樹脂シート（合皮など）であってもよい。
そして、メッシュ２０ｃについても、メッシュ地は、１インチ（２５．４ｍｍ）長さあたり３〜８メッシュ程度のメッシュが好適であるが、通気性が良好であれば、これよりも細かい目、或いは粗い目のメッシュでも良い。【００２９】  更に、前記本体部材２０は、実際には単純な台形状でなく、図２及び図３に示すように、前記本体部材２０の外面要部と、該本体部材２０の内面要部に第１及び第２の面ファスナー２０ａ，２０ｂが設けられ、前記本体部材２０の長手方向を軸として患部に巻回されたときに前記両面ファスナー２０ａ，２０ｂが互いに係合して巻回姿勢を固定できるように構成されている。その本体部材２０の巻回状態の外観は、略台形状故に、実質上サイ頭円錐形となる。
具体的構造としては、前記本体部材２０の上辺側２０ｄと下辺側２０ｅには、一側に大きな一片が、他側には小さな２辺が、夫々、外方に突出している形状とされ、この部分に前記第１及び第２の面ファスナー２０ａ，２０ｂが設けられている。このとき面ファスナー２０ａ，２０ｂは，スパンデックスのような伸縮性のある素材で構成すると，与圧により密着効果を高めることが期待できる。【００３０】  又、前記本体部材２０の外側に固定用ベルト２４を用いて巻回装着される外装用アイシング装具２５Ａを備えている。
この外装用アイシング装具２５Ａは、使用患部に略相当する円弧を呈する凍結タイプの蓄冷剤を収容した長尺の蓄冷部材１で構成され、該蓄冷部材１の一部には、図４に示すように、前記固定用ベルト２４の一部が一体的に設けられている、【００３１】  前記外装用アイシシグ装具２５Ａは、ここでは、長尺の７００ｍｍ（約６００〜８００ｍｍ、幅１００〜２００ｍｍであればよい）で、少なくとも膝を一周できる長さに構成され、且つ、ここでは長手方向に４区画の収容室が形成されるように構成され、その区画室に挿脱用の開口が形成されている。従って、この蓄冷部材１によれば、４つの蓄冷剤を膝の周囲に巻回位置させて大きな冷却効果（時間も）を期待することができる。【００３２】  そして、前記固定用ベルト２４は、ここでは、前記外装用アイシング装具２５Ａの長手方向の両側部に基端部が夫々固定され、一旦部を引き締めることで締めつけることが出来る公知のバックルタイプの構成のものが用いられている。
即ち、固定調整は、ベルトの巻き付けで締め具合を調整し、外すときは、バックルでワンタッチリリースできるようにされている。【００３３】  図５は、前述の外装用アイシング装具２５Ａの区画室に装填される蓄冷部材１を、患部周径に対応させ、適合し易いようにするために、円弧を持つ状態に凍結させるためのケーシング２８を示す。
ここでは、前記ケーシング２８は、合成樹脂で成形され、片方が開口し、他方が閉塞された容器状であって、樹脂フィルムの袋状体に充填されたゲル状の蓄冷剤の蓄冷部材１が、冷凍室で平瓦のような円弧状の板体（平瓦状）に凍結するためのものである。こうしたケーシング２８を複数個準備しておき、それぞれに蓄冷部材１を投入し、柔らかい状態での変形で、その円弧状のケーシング２８に沿わせて凍結させるのである。【００３４】（別態様）
図６は、本発明にかかる内装用アイシング装具２５Ｂを内側にして医療用姿勢矯正用具を膝に装着した使用例を示す斜視図を示し、図７は、その蓄冷部材の分解図、図８は、その蓄冷部材の正面図、図９は、本体部材に対する装着例を示す正面図であり、図１０は、内装用アイシング装具２５Ｂを本体部材から外した分解正面図である。また、図１１は、伸縮機構を示す要部の一部切り欠き斜視図である。【００３５】  前記内装用アイシング装具２５Ｂは、ここでは、凍結しない蓄冷剤を収容した扁平状の蓄冷部材１と、前記蓄冷部材１よりも大きな基材２と、前記基材２に蓄冷部材１を位置させて、前記蓄冷部材１を覆い、面ファスナー２Ａ，３Ａによって前記基材２に前記蓄冷部材１を保持させるカバー３から成る。そして、前記基材２の要部には、患部の凹凸に適合し易くなるように、前記基材２の屈曲を容易にする伸縮機構４が配置されているものである。【００３６】  この面ファスナー２Ａ，３Ａは、前記基材２とカバー３とを着脱自在に固定する構成として、蓄冷部材１の挿脱を容易にするものであり、ここでは、前記面ファスナー２Ａ，３Ａは、前記基材２と前記カバー３の内周に沿って配置され、相互にピタリと合致できるようにされている。これによって、蓄冷部材１を基材２とカバー３との間の定位置に保持、固定することが出来る。この蓄冷部材１の固定の概念としては、基材２とカバー３に対して多少の相対摺動を可能とする場合も含まれる。【００３７】  そして、この内装用アイシング装具２５Ｂには、前記本体部材２０の内側に対する固定装着のための第５の面ファスナー２６が４箇所に設けられている。
従って、これらの第３の面ファスナー２６に対応する第４の面ファスナー２７が、前記本体部材２０の内側部材２０Ｂに、膝の内側部と外側部で、膝の上下に位置する４箇所に対応させて設けられている。これらの第３、第４の面ファスナー２６，２７の係脱によって、装着、取り外しを行う。【００３８】  前記基材２そのものの素材は、ここでは、化繊の不織布を用いているが、天然素材でも、機能性繊維と呼称される吸熱或いは吸湿性の繊維を用いてもよく、他に、通常の織布、合成樹脂シートを用いてもよく、好ましくは、冷却に伴う結露を吸収できる素材が良い。
また、前記蓄冷剤としては、ここでは、公知のゲル状の高吸水性ポリマーで構成され、冷凍室乃至冷蔵室で蓄冷されるものである。特に、蓄冷に際しても硬化しないタイプのものである。【００３９】  図１１は、内装用アイシング装具の伸縮機構の要部を示す斜視図であり、ここでは、上記伸縮機構４について述べる。前記伸縮機構４は、前記基材２の要部に形成された複数本のスリット４Ｃで構成しているものである。かかるスリット４Ｃとしては、長さ１００ｍｍ（長さ５０〜１５０ｍｍでよい）で、所定の間隔を隔てて３本程度形成しておくのが好ましい。
このように、基材２に単純にスリット４Ｃを形成することで、屈曲に際してこの部分の拡張によって、基材の屈曲の伸張抵抗を大幅に減らすことができ、また、反対側においては、スリット４Ｃを狭めることで圧縮抵抗を減らすことができて、スムースな回動作を行い得て、術後の患部を圧迫するような事態を回避させることができる。【００４０】  （変形例１）
図１２は、内装用アイシング装具の別の形態の伸縮機構の要部を示す斜視図であり、ここでは、前記基材２の要部に形成された複数波のプリーツ４Ａで構成されている。
このような複数波（襞）を持つプリーツ４Ａを形成することで、プリーツの伸び代により屈曲変形を容易とすることができる。勿論、基材２は、カバー３の面ファスナー３Ａに対して、面ファスナー２Ａによって固定されているので、初期設定において、プリーツの弛み形状は保持されことになる。【００４１】  （変形例２）
図１３に示すように、ここでは、前記伸縮機構４は、前記基材２の要部に形成された所定幅のスリットに伸縮性のあるステッチ４Ｂを逢着することで構成されている。ここでは、ステッチ４Ｂは、その両側部はミシン目で逢着されている。
このようなステッチ４Ｂの逢着（接着でも可能）は、加工手間を要するが、プリーツと異なり、襞の突出もなく、外観が平滑で引っかかることがなくて使い勝手が良い。
勿論、基材２の伸縮が十分に可能であるから、装着部位の回動作をスムースに行い得ると共に患部を圧迫するような事態を避けることができる。【００４２】  （変形例３）
図１４及び図１５は、上述した本体部材２０の変形例を示し、ここでは、面ファスナーが伸縮性のある素材で構成され、リングを用い、折り返しで締め付けて係止させるベルトタイプとされた別態様を示す。前記本体部材２０の基本構成は、上述の図１から図３に示す実施例と同じであり、ここでは重複する構成の説明を省略する。【００４３】  具体的には、本体部材２０に逢着された各面ファスナー２０ｆ，２０ｈ，２０ｉは、通常の単なる面接当方式の面ファスナー（上記実施例の面ファスナー２０ａ，２０ｂ）とは異なり、リング２０ｇを介在させて折り返すベルト締め方式とし、所謂折り返しタイプの面ファスナーで構成され、緊締力を強いものとしている。【００４４】  特に，第５及び第６の面ファスナー２０ｈ，２０ｉを、膝蓋骨上部に備え付けることで，立位時の重力による下垂を防ぐ効果が期待できる。
更に、膝蓋骨上部に備え付ける面ファスナー２０ｉを、スパンデックスのような伸縮性のある素材で構成すると与圧により密着効果を高めることが期待でき，ずれ防止の効果が高い。
【産業上の利用分野】
【００４５】  本発明にかかる医療用姿勢矯正用装具は、身体患部に装着して用いるが、術後の患部の姿勢保持に利用できるもので、その適用範囲は広い。
【符号の説明】
【００４６】  １：蓄冷部材
２：基材
３：カバー
２Ａ，３Ａ：面ファスナー
４：伸縮機構
４Ａ：プリーツ
４Ｂ：ステッチ
４Ｃ：スリット
２０：本体部材
２０Ａ：外側部材
２０Ｂ：内側部材
２０ａ：第１の面ファスナー
２０ｂ：第２の面ファスナー
２０ｃ：メッシュ
２０ｄ：上辺側
２０ｅ：下辺側
２１：補強部材
２１Ａ：第１の補強部材
２１Ｂ：第２の補強部材
２１Ｃ：第３の補強部材
２５Ａ：外装用アイシング装具
２５Ｂ：内装用アイシング装具
【図１】
2014018633.tif 000003
【図２】
2014018633.tif 000004
【図３】
2014018633.tif 000005
【図４】
2014018633.tif 000006
【図５】
2014018633.tif 000007
【図６】
2014018633.tif 000008
【図７】
2014018633.tif 000009
【図８】
2014018633.tif 000010
【図９】
2014018633.tif 000011
【図１０】
2014018633.tif 000012
【図１１】
2014018633.tif 000013
【図１２】
2014018633.tif 000014
【図１３】
2014018633.tif 000015
【図１４】
2014018633.tif 000016
【手続補正書】
【提出日】平成24年9月13日(2012.9.13)
【手続補正１】
【補正対象書類名】図面
【補正対象項目名】図１５
【補正方法】追加
【補正の内容】
【図１５】
2014018633.tif 000017